(57)【特許請求の範囲】
【請求項１】
浴槽と、
該浴槽に隣接されるストレッチャー上から略水平方向に移動される担架を受けて該担架を前記浴槽上方の入浴位置に導くガイド部材と、
前記浴槽内に立設された支柱と、
該支柱に設けられ、前記ガイド部材が取り付けられ、前記ガイド部材を介して前記担架を前記浴槽上方に支持するとともに、前記担架を支持した状態で、前記浴槽の上方の中央位置と前記ガイド部材が前記ストレッチャーのガイドレールに近接或いは当接する位置との間において移動自在な支持台と、
前記支持台と前記浴槽の少なくとも一方を上下方向に移動させる昇降機構と、
前記担架を支持した前記支持台を移動させることで、該支持台上に載せられた前記担架をストレッチャー上と前記入浴位置との間において移動させる担架駆動機構と、
を具備することを特徴とする入浴装置。
【発明の詳細な説明】
【０００１】
【発明の属する技術分野】
本発明は、病人や寝たきりの老人あるいは手術後の患者を入浴させるための入浴装置に関する。
【０００２】
【従来の技術】
上記のような患者を入浴させるための入浴装置として、浴槽が昇降式となっており、はじめに浴槽を下降状態としておいてその上方に患者を配置し、次いで浴槽を上昇させて患者を入浴させる形式のものが提供されている。ここで、患者を浴槽の上方に配置させるにあたっては、ストレッチャー上の担架に患者を載せ、ストレッチャーを浴槽に横付けして担架ごと患者を浴槽上方に水平移動させて送り込むる場合がある。
【０００３】
【発明が解決しようとする課題】
ところで、患者の移送および入浴は介護者が行うわけであるが、上記のようにストレッチャーから患者を浴槽の上方に送り込む際には、介護者は浴槽に横付けしたストレッチャーの横に立ち、担架を浴槽方向に押してスライドさせる。このとき、担架を浴槽上方に送り込むにつれて介護者の腹部等がストレッチャー上の担架台に当たり、その状態から介護者自身から離れていく担架をさらに浴槽方向に押すには担架台が邪魔になって無理な姿勢を強いられる。これは、入浴後に担架をストレッチャー上に戻す際も同様である。このため、担架をスライドさせる作業がしづらくなって介護者の負担が増大していた。
【０００４】
本発明は上記事情に鑑みてなされたものであり、ストレッチャー上の担架を浴槽上方へ送り込んだり戻したりする作業を容易として介護者の負担軽減が図られる入浴装置の提供を目的としている。
【０００５】
【課題を解決するための手段】
本発明は、次の手段をもって上記目的の達成を図っている。
すなわち、浴槽と、該浴槽に隣接されるストレッチャー上から略水平方向に移動される担架を受けて該担架を前記浴槽上方の入浴位置に導くガイド部材と、前記浴槽内に立設された支柱と、該支柱に設けられ、前記ガイド部材が取り付けられ、前記ガイド部材を介して前記担架を前記浴槽上方に支持するとともに、前記担架を支持した状態で、前記浴槽の上方の中央位置と前記ガイド部材が前記ストレッチャーのガイドレールに近接或いは当接する位置との間において移動自在な支持台と、前記支持台と前記浴槽の少なくとも一方を上下方向に移動させる昇降機構と、前記担架を支持した前記支持台を移動させることで、該支持台上に載せられた前記担架をストレッチャー上と前記入浴位置との間において移動させる担架駆動機構とを具備することを特徴とする。
【０００６】
【発明の実施の形態】
（１）第１の実施形態
以下、図面を参照して本発明の第１の実施形態を説明する。
Ａ．構成
図１および図２は、第１の実施形態に係る入浴装置４にストレッチャー装置１が横付けされて接続された状態の上面および正面断面をそれぞれ示しており、図３はストレッチャー装置１の側面を示している。
まず、患者を載せて移送させるストレッチャー装置１から説明する。このストレッチャー装置１は、ストレッチャー２と、このストレッチャー２の上に配置されて実際に患者（入浴者）Ｍが載せられる担架３とから構成されている。図４および図５は、担架３を除いたストレッチャー２のみを示した図であって、それぞれ上面図、正面図である。
【０００７】
図３には、担架３に載せられた患者Ｍが示されており、同図で患者Ｍは頭を右に、足を左にした仰臥状態で担架３に載せられている。以降のストレッチャー装置１および入浴装置４の説明において前後左右といった方向に関しては、担架３に載せられた患者Ｍを基準とし、頭側を前方、足側を後方、患者Ｍの左右方向をすなわち左右方向と定義する。
【０００８】
ストレッチャー２は、４つのキャスタ（走行手段）５が装着されたフレーム６の上に担架台７が固定されたものであり、前後および左右対称の形状とされている。フレーム６は、前後に２本ずつ配された４本の脚部フレーム１１を主体としており、これら脚部フレーム１１の下端部にキャスタ５が装着されている。前後方向に離れた各左右一対の脚部フレーム１１間には、補強フレーム１２が架け渡されて固定されている。これら前後一対の補強フレーム１２の中央部およびその両側の間には、サイドメンバ１３、１４、１４が架け渡されて固定されている。両側の２本のサイドメンバ１４は、補強フレーム１２から左右に突出しており、それら突出端からは、ガイドアーム１５が垂下している。これらガイドアーム１５の下端部には、ガイドリング１６が、ガイドアーム１５の延びる方向すなわち上下方向を軸として回動自在に装着されている。
【０００９】
前後の左右一対とされる脚部フレーム１１には、前側および後側のハンドルバー１７がそれぞれ固定されている。これら前後のハンドルバー１７は、脚部フレーム１１における補強フレーム１２の接続部分のやや上方位置に固着されており、その固着部分より、それぞれ前方および後方に延びてから上方に立ち上がり、その上端部から実際に手で握る水平部分に移行する形状となっている。
【００１０】
また、前後の左右一対の脚部フレーム１１には、キャスタ５の動きを制動する切換ペダル１８が、ステー１９を介してそれぞれ装着されている。図３に示すように、これら切換ペダル１８は、足踏み操作により、左右に延びる回動軸に対して３段階に回動角度を切換えられるようになっており、一方側（前側か後側）の切換ペダル１８の動作が、リンク２０によって他方側に伝わって連動するようになっている。ちなみに切換ペダル１８の３段階切換により、キャスタ５は「４輪固定」、「フリー（３６０度双方向回動）」、「直進」が選択される。
【００１１】
図３および図５に示すように、中央部のサイドメンバ１３には、入浴装置４にストレッチャー装置１を横付け状態で接続するためのロック機構２１が設けられている。このロック機構２１は、サイドメンバ１３に固定されて垂下する左右一対の支持ロッド２２と、これら支持ロッド２２の下端部から左右にそれぞれ延びて揺動可能に支持され、先端にロックピン２３を有するロックペダル２４と、各ロックペダル２４の中央部とサイドメンバ１３の間にわたって斜めに渡されたシリンダ２５と、ロックペダル２４の動きを相反するように連動させるリンク２６とを備えている。このロック機構２１によれば、ロックペダル２４はシリンダ２５により水平に保持されており、一方のロックペダル２４の先端上部であってロックピン２３の上部に形成された足踏み部２４ａを踏むと、リンク２６の働きにより他方のロックペダル２４が上方に回動するようになっている。そして、足踏み部２４ａから足を離すと両方のロックペダル２４はシリンダ２５の働きで元の水平状態に戻るようになっている。
【００１２】
担架台７は仰臥する患者Ｍの全身を受ける適宜な大きさの略長方形状に形成されたものであり、ストレッチャー２の４本の脚部フレーム１１の上端部に水平に固定されている。脚部フレーム１１の上端部は担架台７を貫通して上面側にわずかに突出しており、貫通部はパッキン等で液密処理がなされている。前後に並ぶ脚部フレーム１１の突出端の間には縦フレーム３１が固定され、さらにこれら縦フレーム３１の中央部の間に横フレーム３２が架け渡されて固定されている。また、横フレーム３２の上には左右に延びる前後一対のガイドレール（スライド手段）３３Ａが適宜間隔をおいて固定され、縦フレーム３２の中央部の上にはストッパ３４Ａが固定されている。
【００１３】
本実施形態の担架台７は、患者Ｍを載せる担架３を支持するとともに、その状態で患者Ｍを洗浄できるように洗浄台としても機能するようになっている。そのため、担架台７の外縁は受け皿状に立ち上がっている。また、図４に示すように、左右方向の中央には前方向に水を流す排水溝３６が前後方向に沿って形成されている。この排水溝３６の前端には排水口３７が形成され、排水口３７には排水ホース３８が接続されている。
【００１４】
担架台７の中央部に設けられたストッパ３４Ａは、図１ないし図３に示すように、長方形状の基板部４１の両長辺縁から台形状の側板部４２が立ち上がり、これら側板部４２の上端部が内側に１８０度屈曲されて係止板部４３が形成されてなるもので、係止板部４３の中央部には、下端側に開口する係止スリット４３ａが形成されている。このストッパ３４Ａは、係止板部４３が前後に配された状態で基板部４１が前記縦フレーム３２の中央部に固着されている。
【００１５】
実際に患者Ｍが載せられる担架３は、図２および図３に示すように、左右一対のベースフレーム５１と、このベースフレーム５１上に患者Ｍがリクライニング可能に仰臥し得るよう設置されたリクライニングシート５２とから構成されている。ベースフレーム５１の下面側における前端部および中央部やや後側には、前記担架台７のガイドレール３３Ａに沿って担架３をスライドさせ得るガイド機構（スライド手段）５３が設けられている。これらガイド機構５３は、図２、図３および図７に示すように、ガイドレール３３Ａに係合する断面クランク状のガイドプレート５４と、ガイドレール３３Ａ上を転動する複数のローラ５５とから構成されている。これらガイド機構５３により、担架３は、前後に移動不能で、かつガイドレール３３Ａ上を走行して左右方向にスライド可能とされている。そして、前後のガイド機構５３の間には、前記ストッパ３４Ａに係止して担架３を担架台７の中央位置で固定状態とするロックバー５６が設けられている。
【００１６】
このロックバー５６は、図６に示すように、左右のベースフレーム５１の下側に設けられたブラケット６１に取り付けられている。ブラケット６１は、天板部６２の両長辺縁から互いに対向する側板部６３が垂下してなる断面門型の細長い部材で、長手方向が左右方向に延びる状態で天板部６２が左右のベースフレーム５１の下面に固着されている。側板部６３は平たい二等辺三角形状で、その中央部には縦長の長孔６３ａが形成されており、両側板部６３の長孔６３ａに、ロックバー５６が長孔６３ａに沿って上下動可能に貫通されている。ロックバー５６の中央部には周溝５６ａが形成されており、この周溝５６ａとブラケット６１の天板部６２の下面に固着された左右一対のステー６４間に、コイル状のリターンスプリング６５が掛け渡されている。
【００１７】
また、図６に示すように、ブラケット６１内には、左右一対のロック解除レバー６６が設けられている。これらロック解除レバー６６は、ブラケット６１の両側板部６３に取り付けられたローラ６７を支点として前後方向を軸に揺動するようになっている。ロック解除レバー６６の外側端部は操作端部６６ａとされ、担架台７の側縁の下方に位置している。また、内側端部６６ｂにはスリット６８が形成されており、それら内側端部６６ｂは互いに重畳し、かつ一方のロック解除レバー６６の内側端部６６ｂがロックバー５６の上面に当接している。前記リターンスプリング６５により、ロックバー５６は常に上方に付勢され、これとともにロック解除レバー６６の内側端部６６ｂは上方に付勢されて操作端部６６ａが水平に保持される。そして、操作端部６６ａを上方に回動させると内側端部６６ｂがリターンスプリング６５に抗して下方に回動し、これによりロックバー５６が長孔６３ａに沿って下降させられる。この場合、重畳する内側端部６６ｂが下側にあるロック解除レバー６６を操作するとそのロック解除レバー６６は単独で作動し、内側端部６６ｂが上側にあるロック解除レバー６６を操作すると他方のロック解除レバー６６も連動するようになっている。
【００１８】
ここで、上記ストッパ３４Ａおよびロックバー５６の作用を説明する。担架３を担架台７の左右いずれか一方側に配した状態から、ガイド機構５３をガイドレール３３Ａに係合させて担架台７の上方にスライドさせていくと、ロックバー５６がストッパ３４Ａの係止板部４３の傾斜縁４３ｂに当たる。さらにスライドされるにつれ、ロックバー５６は傾斜縁４３ｂに案内されて下方に移動した後、ロックバー５６が係止板部４３の係止スリット４３ａ内に入り込むと同時にリターンスプリング６５により上に戻される。これでロックバー５６はストッパ３４Ａに係止され、担架３は担架台７の中央位置で固定状態となる。次に、一方のロック解除レバー６６の操作端部６６ａを上方に操作すると、上述のようにロックバー５６が下降し、これによってロックバー５６は係止スリット４３ａから抜け出る。この状態から、担架３を担架台７上で左右方向にスライドさせることが可能になる。
【００１９】
次に、本発明の第１の実施形態に係る入浴装置４を説明する。
入浴装置４は、図１および図２に示すように、フロアＦに固定された箱状の架台７１と、この架台７１に昇降可能に設置された浴槽７４とを備えている。架台７１の底板７２の中央部には円筒状の支柱７３が立設されており、この支柱７３が浴槽７４の底板７５に液密的に貫通している。浴槽７４は支柱７３に沿って昇降するようになっており、その昇降動作は、双方の底板７２、７５の間に配された昇降機構７６によりなされる。なお、浴槽７４の縁には、図１に示すように、シャワーコック７７ａならびにシャワーノズル７７ｂを備えたシャワー装置７７が備えられている。支柱７３の上端には支柱ヘッド７３ａが固定されており、この支柱ヘッド７３ａに、支持台７８が、支柱ヘッド７３ａにガイドされて左右方向に移動自在に設けられている。そして、この支持台７８の上には、担架台７上に設けられたガイドレール３３Ａおよびストッパ３４Ａと同一構成の、前後一対の水平なガイドレール３３Ｂおよびストッパ３４Ｂが設けられている。
【００２０】
図８に示すように、支柱７３の内部には、支柱７３と同軸的に駆動軸９１が貫通されている。この駆動軸９１の上端にはピニオンギヤ９２が取り付けられ、支持台７８の内部には、左右方向に延びてピニオンギヤ９２に噛み合うラック９３が設けられている。駆動軸９１の下端部は架台７１の底板７２から突出し、その突出端部には、一対のかさ歯ギヤ９４ａ、９４ｂを介して、底板７２の下面に固定されたモータ９５が連結されている。これら駆動軸９１、ピニオンギヤ９２、ラック９３、かさ歯ギヤ９４ａ、９４ｂおよびモータ９５により、ガイドレール３３Ｂおよびストッパ３４Ｂが固定された支持台７８を左右方向に移動させる担架駆動機構９６が構成されている。すなわち、モータ９５により駆動軸９１が回転し、その回転がピニオンギヤ９２からラック９３に伝わって支持台７８が左右方向に移動するようになっている。
【００２１】
また、架台７１の左右の外側面の下方には、前後一対のガイドクッション８１が設けられるとともに、これらガイドクッション８１の間にロックプレート８２が設けられている。ガイドクッション８１は、入浴装置４に横付けさせるストレッチャー装置１の前後のガイドリング１６が係合し、これによりストレッチャー装置１の位置決めおよび接続がなされる。ロックプレート８２の中央部には、前記ロックピン２３が上から嵌入されるロック孔８２ａを有している。
【００２２】
ストレッチャー装置１を、図１および図２に示すように入浴装置４に横付け状態に接続するには、次のようにする。
すなわち、ストレッチャー装置１を入浴装置４の側方に近付け、入浴装置４に対向する側の前後のガイドリング１６を前後のガイドクッション８１にそれぞれ係合させるとともに、反入浴装置４側のロックペダル２４を踏み込んで入浴装置４側のロックペダル２４を上に回動させた後、踏み込んだロックペダル２４を離してロックピン２３をロックプレート８２のロック孔８２ａに嵌入させる。このように接続すると、ストレッチャー装置１側および入浴装置４側の各前後のガイドレール３３Ａ、３３Ｂは、僅かに離間した状態で一直線状に、かつ同一レベルで水平に配される。
【００２３】
Ｂ．使用動作および作用
続いて、上記ストレッチャー装置１および入浴装置４により患者Ｍを入浴させる使用動作および作用を説明する。
【００２４】
まず、病室のベッド等から患者Ｍを担架３上に載せるとともに、ロックバー５６をストッパ３４Ａに係合させて、担架３を担架台７上の中央に固定する。そして、ストレッチャー装置１を入浴装置４の側方まで走行移動させる。次いで、入浴装置４側の前後のガイドリング１６を入浴装置４の架台７１の前後のガイドクッション８１にそれぞれ係合させるとともに、反入浴装置４側のロックペダル２４ａを踏み込んで入浴装置４側のロックペダル２４ａを上に回動させた後、踏み込んだロックペダル２４ａを離してロックピン２３をロックプレート８２のロック孔８２ａに嵌入させる。これで、ストレッチャー装置１は入浴装置４に接続され、この状態で、介護者が入浴装置４のシャワー装置７７により患者Ｍの洗髪、洗浄を行う。洗浄水であるシャワー水（温水）は担架台７で受けられ、排水ホース３８から排水される。
【００２５】
続いて、モータ９５を駆動させて支持台７８をストレッチャー装置１側に移動させ、支持台７８側のガイドレール３３Ｂをストレッチャー装置１側のガイドレール３３Ａに近接させるか、あるいは当接させて両ガイドレール３３Ａ、３３Ｂを一直線状にする。この状態から、介護者は、左側のロック解除レバー６６の操作端部６６ａを上方に操作してロックバー５６をストッパ３４Ａから外し、担架３を担架台７のガイドレール３３Ａに沿って、右側に押してスライドさせる。これにより担架３の前後のガイド機構５３は、入浴装置４側のガイドレール３３Ｂ上に移っていき、ほどなくロックバー５６が支持台７８上のストッパ３４Ｂに係止されて担架３が支持台７８上で固定される。図７は、その状態を示している。支持台７８がストレッチャー装置１側に移動しているので、支持台７８側のストッパ３４Ｂにロックバー５６が係止するまで担架３の移動距離すなわち介護者が押す距離は、わずかで済む。
【００２６】
次に、モータ９５を上記と逆方向に駆動させ、支持台７８を浴槽７４の上方における中央まで移動させる。これにより、担架３も浴槽７４の上方の中央に配置される。これで入浴準備が完了し、続いて浴槽７４を上昇させて患者Ｍを入浴させる。患者Ｍの入浴を終えたら浴槽７４を下降させた後、上記と逆の操作を行って担架３を担架台７上に戻して固定する。そして、介護者が患者Ｍの清拭を行って最終的に入浴を終えた後、入浴装置４の架台７１に対するストレッチャー装置１の接続を外し、ストレッチャー装置１を走行移動させて患者Ｍを病室等に移送する。
【００２７】
上記入浴装置４によれば、担架３を受ける支持台７８が、担架駆動機構９６により浴槽７４の上方からストレッチャー装置１の間を往復移動するので、介護者が担架３をストレッチャー装置１から浴槽７４側に送り込んだりストレッチャー装置１に戻す動作はわずかで済み、かつ無理な姿勢を強いられることがない。したがって、担架３の移動作業が容易となって介護者の負担軽減が図られる。
【００２８】
なお、上記実施形態では、支持台７８をストレッチャー装置１側に移動させ、支持台７８上のストッパ３４Ａにロックバー５６が係止されるまでは介護者の作業となるが、担架台７上の担架３をストッパ３４Ａで固定されるまで自動的に引き込んで送り込み、かつ戻す機構を備えるようにしてもよい。こうすることにより、介護者は全く担架３を移動させる作業から解放され、介護作業の大幅な負担軽減が図られる。
【００２９】
図９および図１０は、上記担架駆動機構９６の変形例をそれぞれ示している。図９の担架駆動機構９６Ａは、モータ９５の駆動力を、かさ歯ギヤ９４ａ、９４ｂを介して駆動軸９１に掛けられた駆動ベルト９７に伝達するベルト駆動方式である。また、図１０の担架駆動機構９６Ｂは、油圧シリンダ９８と駆動軸９１との間に中間軸９９を配置するとともに、両軸９１、９９に固定した各プーリ９１ａ、９９ａにベルト１００を巻回し、油圧シリンダ９８の伸縮により中間軸９９を回転させ、その回転をベルト１００を介して駆動軸９１に伝達するベルト駆動方式である。
【００３０】
（２）第２の実施形態
次に、上記第１の実施形態と同様に、支持台７８ごとガイドレール３３Ｂおよびストッパ３４Ｂをストレッチャー装置１側に移動させる第２の実施形態について、図１１を参照して説明する。
【００３１】
第２の実施形態における支持台７８を移動させる担架駆動機構１０１は、支持台７８の内部に設けられた油圧シリンダ１０２と、この油圧シリンダ１０２を作動させるための油圧ポンプ１０３、油路切換え装置１０４ならびに油圧配管１０５ａ、１０５ｂから構成されている。油圧シリンダ１０２は左右方向に延び、ピストンロッド１０２ａの両端が支持台７８に固定され、さらにこのピストンロッド１０２ａの中央には、油圧シリンダ１０２内を液密的に摺動し、かつ内部を左室１０６ａと右室１０６ｂとに仕切るピストン１０６が、一体的に設けられている。この場合、支柱７３は架台７１の底板７２上に設置されたテーブル１０７上に立設されており、このテーブル１０７上に油圧ポンプ１０３が置かれている。油圧ポンプ１０３は油路切換え装置１０４に接続され、この油路切換え装置１０４には、油圧シリンダ１０２の左室１０６ａおよび右室１０６ｂに接続された各油圧配管１０５ａ、１０５ｂが接続されている。
【００３２】
この担架駆動機構１０１によれば、油路切換え装置１０４により、作動油が右室１０６ｂへ流入、左室１０６ａから排出の状態とされて油圧ポンプ１０３が駆動されると、ピストン１０６が左方すなわちストレッチャー装置１側に移動し、これに伴ってピストンロッド１０２ａと一体に支持台７８がストレッチャー１側に移動する。また、油路切換え装置１０４により作動油が左室１０６ａに流入、右室１０６ｂから排出の状態とすることにより、支持台７８は浴槽７４の上方の中央に戻る。
【００３３】
なお、図１２は前記油圧シリンダ１０２の作動油をグリセリンとした場合の変形例を示しており、この場合の担架駆動機構１０１Ａは、各配管１０５ａ、１０５ｂを、グリセリンを密封した油圧シリンダ１０７に接続するとともに、この油圧シリンダ１０７のピストンロッド１０７ａを単なる作動油が密封された油圧シリンダ１０８に連結している。
【００３４】
さて、上記第１および第２の実施形態においては、支持台７８ごとガイドレール３３Ｂおよびストッパ３４Ｂをストレッチャー装置１側に移動させるものであるが、ストッパ３４Ｂのみを移動するようにしてもよく、その例である第３および第４の実施形態を以下に説明する。
【００３５】
（３）第３の実施形態
図１３および図１４に示すように、ストッパ３４Ｂは、支持台７８の両端部の間にわたって形成されたスリット１１１に沿って左右方向に移動自在とされている。支持台の７８内部におけるスリット１１１の前方（図１３で下側、図１４で手前側）両端部には、上下方向に延びる回転軸１１２、１１３が支持台７８に固定され、これら回転軸１１２、１１３にプーリ１１２ａ、１１３ａがそれぞれ回転自在に装着されている。プーリ１１２ａ、１１３ａにはベルト１１４が巻回されており、ベルト１１４には、ステー１１５を介してストッパ３４Ｂが連結されている。ベルト１１４は、支柱７３を貫通する駆動軸１１６の上端部に取り付けられたギヤ１１７の回転により作動するようになっている。駆動軸１１６は、図示せぬモータで回転させられる。これらプーリ１１２ａ、１１３ａ、ベルト１１４、駆動軸１１６、ギヤ１１７およびモータにより、ストッパ３４Ｂを左右方向に移動させる担架駆動機構１１８が構成されている。すなわち、モータにより駆動軸１１６が回転し、その回転が駆動ギヤ１１７からベルト１１４に伝わってストッパ３４Ｂが左右方向に移動するようになっている。
【００３６】
（４）第４の実施形態
図１５に示すように第４の実施形態の場合は、複数のローラ１２１により支持台７８上を左右方向に移動するように設けられたプレート１２２上に、ストッパ３４Ｂが固定されている。プレート１２２は左右方向に長い長方形状のもので、その中央部には、下方に垂下し、かつ上下方向に延びる長孔１２３ａが形成されたステー１２３が固定されている。ステー１２３は支柱７３の前側に配され、支持台７８に形成された左右方向に延びる図示せぬスリットを貫通しており、プレート１２２の移動を妨げないようになっている。一方、支持台７８の下面のやや右寄りには、左右方向に揺動可能にシリンダ１２４がピン結合されており、このシリンダ１２４のピストンロッド１２４ａの先端には、支柱７３に設けられた支点１２５に回動自在に支持されたＬ字状のリンク１２６の一端がピン結合されている。このリンク１２６の他端は、ステー１２３の長孔１２３ａに、この長孔１２３ａに沿って移動可能なように係合されている。これらローラ１２１、プレート１２２、ステー１２３、シリンダ１２４、支点１２５およびリンク１２６により、ストッパ３４Ｂを左右方向に移動させる担架駆動機構１２８が構成されている。
【００３７】
この担架駆動機構１２８によれば、シリンダ１２４のピストンロッド１２４ａが進出すると、リンク１２６が図１５に示すＲ方向に回動してステー１２３およびプレート１２２とともにストッパ３４Ｂは右側に移動し、ピストンロッド１２４ａが退行するとリンクが１２６方向に回動し、ストッパ３４Ｂは左側に移動する。
【００３８】
上記担架駆動機構１２８の場合は、シリンダ１２４およびリンク１２６が略鉛直面内に沿って作動する形式であるが、図１６に示す担架駆動機構１２８Ａは、シリンダ１２４およびリンク１２６が略水平面内に沿って作動する変形例を示している。すなわち、シリンダ１２４は支持台７８の下面に上下方向を軸として回動可能に取り付けられ、ステー１２３は支持台７８上においてプレート１２２の後側に水平に固定されている。リンク１２６は直線状であって略水平に配され、その一端が、支持台７８の下面前部に設けられた支点１２５にピン結合されている。また、リンク１２６の他端は、支持台７８に形成された孔１３１を貫通してステー１２３の長孔１２３ａに係合されている。シリンダ１２４のピストンロッド１２４ａはリンク１２６の途中にピン結合され、これにより、ピストンロッド１２４ａの伸縮により、プレート１２２を介してストッパ３４Ｂが左右に移動するようになっている。
【００３９】
【発明の効果】
以上説明したように、本発明によれば、浴槽上方の支持台に設けられた担架駆動機構により担架をストレッチャー上と浴槽上方の入浴位置との間において移動させることができるので、介護者が担架をストレッチャーから浴槽側に送り込んだり、ストレッチャーに戻す動作はわずかで済み、かつ無理な姿勢を強いられることがないことから、担架の移動作業が容易となって介護者の負担軽減が図られる。
【図面の簡単な説明】
【図１】  本発明の第１の実施形態に係る入浴装置にストレッチャー装置が接続された状態の平面図である。
【図２】  同正面断面図である。
【図３】  ストレッチャー装置に患者が仰臥状態で載っている状態の側面図である。
【図４】  同ストレッチャー装置の担架を除いた平面図である。
【図５】  同正面図である。
【図６】  担架を担架台上に脱着させる機構を説明するための、（ａ）上面図、（ｂ）側面断面図である。
【図７】  入浴装置の支持台の上に担架が固定された状態の側面断面図である。
【図８】  本発明の第１の実施形態の担架駆動機構の側面断面図である。
【図９】  本発明の第１の実施形態に係る担架駆動機構の変形例を示す側面断面図である。
【図１０】  本発明の第１の実施形態に係る担架駆動機構の他の変形例を示す側面断面図である。
【図１１】  本発明に係る担架駆動機構の第２の実施形態を示す側面断面図である。
【図１２】  本発明に係る担架駆動機構の第２の実施形態の変形例を示す側面断面図である。
【図１３】  本発明の担架駆動機構の第３の実施形態を示す平面図である。
【図１４】  同側面断面図である。
【図１５】  本発明の担架駆動機構の第４の実施形態を示す側面図である。
【図１６】  本発明に係る担架駆動機構の第４の実施形態の変形例を示す平面図である。
【符号の説明】
１  ストレッチャー装置
２  ストレッチャー
３  担架
４  介護用入浴装置
５  キャスタ（走行手段）
６  フレーム
７  担架台（洗浄台）
３３Ｂ  ガイドレール（ガイド部材）
７４  浴槽
７６  昇降機構
７８  支持台
９６、９６Ａ、９６Ｂ、１０１、１０１Ａ、１１８、１２８、１２８Ａ  担架駆動手段、Ｍ…患者（入浴者）。
【図１】
0003995754.tif 000002
【図２】
0003995754.tif 000003
【図３】
0003995754.tif 000004
【図４】
0003995754.tif 000005
【図５】
0003995754.tif 000006
【図６】
0003995754.tif 000007
【図７】
0003995754.tif 000008
【図８】
0003995754.tif 000009
【図９】
0003995754.tif 000010
【図１０】
0003995754.tif 000011
【図１１】
0003995754.tif 000012
【図１２】
0003995754.tif 000013
【図１３】
0003995754.tif 000014
【図１４】
0003995754.tif 000015
【図１５】
0003995754.tif 000016
【図１６】
0003995754.tif 000017